(57)【要約】【課題】テーブルの移動を不要にする。【解決手段】収納テーブルユニット１は、デッキ部９ａ下の空間３に設置され、内側にテーブル収納空間４を有する枠体５と、テーブル収納空間４内に収納可能な天板６と、枠体５の内側に設けられ、天板６を支持し、伸長時には天板６をテーブル収納空間４の上方に持ち上げ、縮退時には天板６をテーブル収納空間４内に収納させる伸縮可能な脚部７と、天板６をテーブル収納空間４の上に持ち上げた状態で脚部７を保持する高さ固定手段を備えている。また、ウッドデッキ９は、デッキ部９ａに開口１０を設けてデッキ材２下の空間３に収納テーブルユニット１を設置すると共に、開口１０を開閉する蓋１１を備えている。【選択図】図１
2011226075.tif 000002
【特許請求の範囲】
【請求項１】
デッキ部下の空間に設置され、内側にテーブル収納空間を有する枠体と、前記テーブル収納空間内に収納可能な天板と、前記枠体の内側に設けられ、前記天板を支持し、伸長時には前記天板を前記テーブル収納空間の上に持ち上げ、縮退時には前記天板を前記テーブル収納空間内に収納させる伸縮可能な脚部と、前記天板を前記テーブル収納空間の上に持ち上げた状態で前記脚部を保持する高さ固定手段を備えることを特徴とする収納テーブルユニット。
【請求項２】
前記脚部を伸長させる方向に付勢する付勢手段を備えることを特徴とする請求項１記載の収納テーブルユニット。
【請求項３】
デッキ部に開口を設けてデッキ材下の空間に請求項１記載の収納テーブルユニットを設置すると共に、前記開口を開閉する蓋を備えることを特徴とするデッキ。
【請求項４】
前記蓋は前記デッキ部を形成するデッキ材と同種のデッキ材を同列に組んで形成され、各デッキ材の間の隙間はシール材によって塞がれていることを特徴とする請求項３記載のデッキ。
【発明の詳細な説明】
【技術分野】
【０００１】
本発明は、収納テーブルユニット及びこれを組み込んだデッキに関する。なお、本明細書では一般的な名称としてウッドデッキと称するが、木製のものに限られない。
【背景技術】
【０００２】
屋外に設置されるウッドデッキは高床式の構造物であり、地面に立てられた複数の束柱に根太を渡し、その上にデッキ材を並べて形成される（例えば、特許文献１参照）。ウッドデッキはアウトドア的な活動等で多目的に利用される。例えば、屋外での食事等に利用する場合には、デッキ上にテーブルや椅子が並べられる。また、屋外の趣味スペース等として利用する場合には、テーブルや椅子を片付けてデッキ上に趣味に使う道具等が広げられる。
【先行技術文献】
【特許文献】
【０００３】
【特許文献１】特開２００８−７５３４８号公報
【発明の概要】
【発明が解決しようとする課題】
【０００４】
このように多目的に使用されるウッドデッキには必要に応じてテーブルを設置し、また、使わない場合や邪魔になる場合にはテーブルを片付ける必要があり、その度毎にテーブルを別の場所から又は別の場所に移動させる必要がある。そのため、テーブルの使用が大変煩わしいものとなる。
【０００５】
本発明は、ウッドデッキで使用するテーブルの移動が不要な収納テーブルユニット、及びこれを組み込んだウッドデッキを提供することを目的とする。
【課題を解決するための手段】
【０００６】
かかる目的を達成するために請求項１記載の収納テーブルユニットは、デッキ部下の空間に設置され、内側にテーブル収納空間を有する枠体と、テーブル収納空間内に収納可能な天板と、枠体の内側に設けられ、天板を支持し、伸長時には天板をテーブル収納空間の上に持ち上げ、縮退時には天板をテーブル収納空間内に収納させる伸縮可能な脚部と、天板をテーブル収納空間の上に持ち上げた状態で脚部を保持する高さ固定手段を備えるものである。また、請求項３記載のデッキは、デッキ部に開口を設けてデッキ材下の空間に請求項１記載の収納テーブルユニットを設置すると共に、開口を開閉する蓋を備えるものである。
【０００７】
したがって、収納されているテーブルを使用する場合には、デッキ部の開口を塞ぐ蓋を開き、露出した天板をテーブル収納空間から持ち上げる。天板の上昇に伴い脚部が伸びる。所定の高さまで天板を持ち上げた後、高さ固定手段によって脚部を枠体に係止することで天板の高さが固定され、テーブルとして使用可能になる。
【０００８】
一方、テーブルを収納する場合には、天板を支えながら高さ固定手段の係止を解除し、脚部を縮めながら天板をテーブル収納空間内に降ろす。そして、天板をテーブル収納空間内に収納した後、蓋を閉めて開口を塞ぐ。これにより、テーブル収納空間の上を通常のデッキ部として使用可能になる。
【０００９】
また、請求項２記載の収納テーブルユニットは、脚部を伸長させる方向に付勢する付勢手段を備えるものである。したがって、付勢手段が発揮する付勢力が天板を持ち上げる際の補助力として作用する。
【００１０】
一方、請求項４記載のデッキは、蓋はデッキ部を形成するデッキ材と同種のデッキ材を同列に組んで形成され、各デッキ材の間の隙間はシール材によって塞がれているものである。したがって、蓋とその周囲のデッキ部分とでデッキ材が連続しているように見えるようになり、蓋が目立たなくなる。蓋を形成するデッキ材の間の隙間はシール部材によって塞がれているので、収納されている天板に雨が直接かかることはない。
【発明の効果】
【００１１】
請求項１記載の収納テーブルユニットでは、枠体内に脚部と天板を収納し、必要に応じて天板を持ち上げてテーブルとして使用可能にしているので、デッキに組み付けることで収納テーブル付きのデッキを造ることができる。また、天板，脚部，枠体が一体化されているので、組み付け前の状態でも取り扱い易くて便利であり、デッキへの組み付けも容易である。
【００１２】
また、請求項２記載の収納テーブルユニットでは、付勢手段の付勢力が天板を持ち上げる際の補助力として作用するので、天板を軽い力で持ち上げることができ、使い勝手をより良くすることができる。
【００１３】
また、請求項３記載のデッキでは、請求項１記載の収納テーブルユニットが組み込まれているので、設置や片付けの為にテーブルをわざわざ別の場所から又は別の場所に移動させる必要がなくなり、大変便利である。
【００１４】
さらに、請求項４記載のデッキでは、蓋を目立たなくすることができるので、見栄えの悪化を抑えることができる。また、シール材によってデッキ材の間の隙間を塞いでいるので、テーブル収納空間内に雨が直接降り込むのを防止することができる。
【図面の簡単な説明】
【００１５】
【図１】本発明のウッドデッキの実施形態の一例を示し、側方からみた概略構成図である。
【図２】本発明の収納テーブルユニットを示し、天板を取り外した状態の斜視図である。
【図３】天板を示す平面図である。
【図４】脚部を構成する第１の脚体の上端を示す断面図である。
【図５】脚部を構成する第１の脚体の下端に設けられた付勢手段を示す正面図である。
【図６】脚部を構成する第２の脚体の上端を示す断面図である。
【図７】脚部を構成する第２の脚体の下端に設けられたロックピンユニットを示し、その係止状態のす断面図である。
【図８】ロックピンユニットによる係止を解除した状態を示す断面図である。
【図９】高さ固定手段の操作レバーユニットを示す分解斜視図である。
【図１０】収納テーブルユニットの蓋を示す分解図である。
【図１１】収納テーブルユニットの蓋を示す断面図である。
【図１２】揺動式蓋を裏側から見た分解斜視図である。
【図１３】嵌め込み蓋を裏側から見た分解斜視図である。
【図１４】本発明のウッドデッキのデッキ面を示す平面図である。
【図１５】付勢手段の他の実施形態を示す斜視図である。
【図１６】同付勢手段の分解斜視図である。
【図１７】同付勢手段のばねケースの断面図である。
【発明を実施するための形態】
【００１６】
以下、本発明の構成を図面に示す形態に基づいて詳細に説明する。
図１〜図１４に、本発明のデッキ用の収納テーブルユニット及びこれを組み込んだデッキの実施形態の一例を示す。収納テーブルユニット１は、ウッドデッキ９のデッキ部９ａ下の空間３に設置され、内側にテーブル収納空間４を有する枠体５と、テーブル収納空間４内に収納可能な天板６と、枠体５の内側に設けられ、天板６を支持し、伸長時には天板６をテーブル収納空間４の上に持ち上げ、縮退時には天板６をテーブル収納空間４内に収納させる伸縮可能な脚部７と、天板６をテーブル収納空間４の上に持ち上げた状態で脚部７を枠体５に係止する高さ固定手段を備えるものである。また、ウッドデッキ９は、デッキ部９ａに開口１０を設けてデッキ材２下の空間３に収納テーブルユニット１を設置すると共に、開口１０を開閉する蓋１１を備えるものである。
【００１７】
ウッドデッキ９のデッキ部９ａは、根太７１の上に複数のデッキ材２を並べて形成されている。デッキ部９ａに形成された開口１０は、天板６が通過できる大きさ及び形状を成している。本実施形態の開口１０は天板６よりも若干大きな矩形状を成している。
【００１８】
デッキ部９ａの開口１０を塞ぐ蓋１１として、本実施形態では観音開き状に開閉される左右の揺動式の蓋１２，１３と、左右の揺動式蓋１２，１３を閉じることで間に形成される窓１４を塞ぐ１枚の嵌め込み式の蓋１５を備えている（図１０，図１１）。揺動式蓋１２，１３は角パイプ１６ａで組んだ枠１６にデッキ材１７を並べて取り付けたもので、平面視の全体形状が略矩形状を成し、内側の辺（２枚の揺動式蓋１２，１３を突き合わせる辺）１２ａ，１３ａの中央に矩形状の切り欠き１８が設けられている。切り欠き１８には角パイプ１６ａが露出している。左右の揺動式蓋１２，１３を閉めると、左右の切り欠き１８，１８がつながり窓１４となる。窓１４は天板６を持ち上げた状態で脚部７の各支柱パイプ３６ｃ，３７ｃが通り抜けることができる大きさ・形状となっている。揺動式蓋１２，１３の各デッキ材１７の間には例えばシーリングパッキン等のシール材１９が設けられている（図１２）。一方の揺動式蓋１２の底面の内側辺１２ａには、他方の揺動式蓋１３を支える板材２０が設けられている。左右の揺動式蓋１２，１３は蝶番２１によってウッドデッキ９のデッキ材２に開閉可能に取り付けられている。揺動式蓋１２，１３とウッドデッキ９の間の隙間はカバー材２２によって塞がれている（図５）。
【００１９】
嵌め込み蓋１５は、平行に並べた２本の角パイプ２３にデッキ材２４を並べて取り付けたものであり、平面視の形状が矩形状を成している。嵌め込み蓋１５には、例えば２つの回転取手２５が設けられている。回転取手２５は図１１に実線で示すようにデッキ材２４内に収納されており、回転させることで図１１に二点鎖線で示すように取り出すことができる。嵌め込み蓋１５の周囲と各デッキ材２４の間の隙間には例えばシーリングパッキン等のシール材１９が設けられている（図１３）。嵌め込み蓋１５は左右の揺動式蓋１２，１３によって形成された窓１４に嵌め込まれ、角パイプ１６ａ上に載せられる（図１１）。
【００２０】
揺動式蓋１２，１３のデッキ材１７と嵌め込み蓋１５のデッキ材２４は、ウッドデッキ９のデッキ部９ａを形成するデッキ材２と同種のものであり、デッキ部９ａのデッキ材２と同列に組まれている。したがって、揺動式蓋１２，１３及び嵌め込み蓋１５を閉じるとデッキ部９ａ全体が長尺の連続したデッキ材で形成されているように見え、各蓋１２，１３，１５が目立たなくなる。
【００２１】
本実施形態では、蓋１１を３枚の蓋１２，１３，１５によって構成することで蓋１枚を小型化している。これにより、蓋１枚の重さが軽くなり、開閉操作が容易になる。
【００２２】
枠体５は、内側のテーブル収納空間４内に天板６及び脚部７を収納可能な大きさに形成されている。本実施形態の枠体５は、例えば図２に示すように、四隅に設けた垂直フレーム２６と、隣り合う垂直フレーム２６を連結する例えば上下３段の水平フレーム２７，２８，２９と、底を塞ぐ底板７２を備えており、上段の水平フレーム２７は垂直フレーム２６の上端を、中段の水平フレーム２８は垂直フレーム２６の中央部を、下段の水平フレーム２９は垂直フレーム２６の下端をそれぞれ連結している。また、各水平フレーム２７，２８，２９の途中は補強フレーム３０によって連結されている。本実施形態の枠体５は、左右の辺５ａ，５ａが長く、前後の辺５ｂ，５ｂが短く形成されており、長辺（左右の辺）５ａ，５ａの水平フレーム２７，２８，２９は途中の２箇所で、短辺（前後の辺）５ｂ，５ｂの水平フレーム２７，２８，２９は途中の１箇所で補強フレーム３０によって連結され補強されている。このように本実施形態の枠体５の側面になる部分は線状部材（フレーム）を組み付けることで形成されており、内側のテーブル収納空間４は枠体５の外に対して開放されているが、線状部材間を塞いでテーブル収納空間４を閉じるようにしても良い。
【００２３】
また、枠体５の長辺５ａ，５ａには、中段の水平フレーム２８の第１の脚体３６の下端取付位置を補強する脚取付フレーム３１が取り付けられている。脚取付フレーム３１は左右の長辺５ａ，５ａにそれぞれ設けられている。脚取付フレーム３１は垂直フレーム２６と当該垂直フレーム２６に隣り合う補強フレーム３０との間に設けられ、補強フレーム３０と同様に上下３段の水平フレーム２７，２８，２９を連結している。
【００２４】
また、枠体５の長辺５ａ，５ａには、第２の脚体３７の下端を前後にスライドさせる下側ガイドレール３２が取り付けられている。下側ガイドレール３２は左右の長辺５ａ，５ａにそれぞれ設けられている。下側ガイドレール３２は各水平フレーム２７，２８，２９とほぼ同じ長さに形成され、両端がそれぞれ垂直フレーム２６に連結され、途中の３箇所で補強フレーム３０，３０及び脚取付フレーム３１に連結されている。下側ガイドレール３２は中段の水平フレーム２８に載せるように配置されている。下側ガイドレール３２の横断面形状は例えばコ字形状を成している。下側ガイドレール３２は、脚部７の伸縮に伴って第２の脚体３７の下端がスライドするのに十分な長さを有している。
【００２５】
また、枠体５の長辺５ａ，５ａには収納状態の天板６を支える支持板５９が設けられている。支持板５９は左右の長辺５ａ，５ａに設けられた補強フレーム３０に取り付けられている。支持板５９の先端には弾性体が設けられている。
【００２６】
上段の水平フレーム２７の上縁にはウッドデッキ９に取り付けるための延出部２７ａが形成されている。ウッドデッキ９の根太７１の段部７１ａ（図５）に延出部２７ａを載せて例えばボルト等で固定することで枠体５を地面３４から浮かせた状態でウッドデッキ９に組み込むことができる。
【００２７】
天板６は平面視の形状が例えば矩形状を成しており、その底面には左右一対の上側ガイドレール３５，３５が取り付けられている（図３）。各上側ガイドレール３５は長辺（左右の辺）６ａよりも内側の位置に、当該長辺６ａに沿うように設けられている。上側ガイドレール３５の横断面形状は例えばコ字形状を成している。上側ガイドレール３５は、脚部７の伸縮に伴って第１の脚体３６の上端がスライドするのに十分な長さを有している。
【００２８】
脚部７は第１の脚体３６と第２の脚体３７より構成されている。第１の脚体３６は上端となる上側水平パイプ３６ａの中央と下端となる下側水平外パイプ３６ｂの中央を２本の支柱パイプ３６ｃ，３６ｃで連結し、下側水平外パイプ３６ｂ内に下側水平内パイプ３６ｄを通した構成となっている。上側水平パイプ３６ａは左右の上側ガイドレール３５の間隔とほぼ同じ長さを有しており、その左右両端には上側ガイドレール３５に沿って転動するローラ３８が回転自在に取り付けられている（図４）。また、下側水平内パイプ３６ｄは左右の下側ガイドレール３２の間隔とほぼ同じ長さを有しており、その左右両端は下側ガイドレール３２内に設けられた軸受けボックス３９に揺動自在に支持されている（図５）。軸受けボックス３９は下側ガイドレール３２内の脚取付フレーム３１による補強部分に配置され、この補強部分に例えばねじ等によって固定されている。即ち、第１の脚体３６の下端は枠体５に揺動自在に連結され、上端は天板６の上側ガイドレール３５に沿ってスライド可能になっている。
【００２９】
第２の脚体３７は上端となる上側水平パイプ３７ａの中央と下端となる下側水平パイプ３７ｂの中央を１本の支柱パイプ３７ｃで連結した構成となっている。上側水平パイプ３７ａは左右の上側ガイドレール３５の間隔とほぼ同じ長さを有しており、その左右両端は上側ガイドレール３５に揺動自在に取り付けられている（図６）。また、下側水平パイプ３７ｂは左右の下側ガイドレール３２の間隔とほぼ同じ長さを有しており、その左右両端には下側ガイドレール３２に沿って転動するローラ４０が回転自在に取り付けられる（図７）。即ち、第２の脚体３７の上端は天板６に揺動自在に連結され、下端は枠体５の下側ガイドレール３２に沿ってスライド可能になっている。
【００３０】
第１の脚体３６と第２の脚体３７は折り畳み可能に組み付けられている。即ち、第２の脚体３７の支柱パイプ３７ｃを第１の脚体３６の支柱パイプ３６ｃ，３６ｃ間に通し、各支柱パイプ３６ｃ，３７ｃ，３６ｃの中央部をシャフト４１によって回転自在に連結することで、第１の脚体３６と第２の脚体３７の交差角度θ（図１に示す上側又は下側の交差角度）が変化して折り畳み可能となり、脚部７全体として伸縮可能となっている。なお、例えば先に第２の脚体３７の支柱パイプ３７ｃを第１の脚体３６の支柱パイプ３６ｃ，３６ｃ間に通し、その後で他のパイプを連結することで、各脚体３６，３７を組み付けることができる。
【００３１】
脚部７が縮んでいる状態では、第１の脚体３６と第２の脚体３７は水平近くまで倒れており、両者の交差角度θは最大になっている（図１の実線位置）。この状態から天板６を持ち上げると、第１の脚体３６は上端を上側ガイドレール３５に沿って移動させながら下端を中心に揺動して起き上がり、第２の脚体３７は下端を下側ガイドレール３２に沿って移動させながら上端を中心に揺動して立ち上がる（図１の二点鎖線位置）。即ち、天板６の上昇に伴って第１の脚体３６と第２の脚体３７の交差角度θが減少し、脚部７全体として伸長する。
【００３２】
この状態から天板を降ろすと、第１の脚体３６は上端を上側ガイドレール３５に沿って移動させながら下端を中心に揺動して倒れ、第２の脚体３７は下端を下側ガイドレール３２に沿って移動させながら上端を中心に揺動して倒れる。即ち、天板６の下降に伴って第１の脚体３６と第２の脚体３７の交差角度θが増加して折り畳まれ、脚部７全体が縮む。
【００３３】
交差角度θの変化に伴い脚部７全体としての奥行き寸法（枠体５の長辺５ａ方向の寸法）が変化するが、第１の脚体３６の下端と第２の脚体３７の上端の天板６に対する位置は変化しないので、天板６は垂直に移動する
【００３４】
高さ固定手段は、操作レバーユニット４２と、ロックピンユニット４３と、これらを連結する操作ワイヤ４４と、下側ガイドレール３２に設けられた高さ調節孔４５より構成されている。
【００３５】
操作レバーユニット４２は、天板６の底面の操作しやすい位置に設けられている。本実施形態では、操作ワイヤ４４を第２の脚体３７内に通しているので、操作レバーユニット４２を第２の脚体３７の上端が連結される位置に近い方の短辺６ｂ近傍に設けている（図３）。ただし、操作レバーユニット４２を設ける位置はこの位置に限るものではない。操作レバーユニット４２は、図９に示すように、天板６に固定されているアングル材４６に固定されるレバー取付板４７と、レバー取付板４７に取り付けられたカラー４８と、カラー４８に案内されて摺動するレバーシャフト４９と、レバーシャフト４９の先端に取り付けられた操作レバー５０と、レバーシャフト４９の後端に取り付けられた連結板５１と、連結板５１とカラー４８との間に設けられ、一体化された連結板５１，レバーシャフト４９，操作レバー５０を引き戻す方向に常時付勢するレバーばね５２と、アングル材４６に固定され、連結板５１の外れを防止する枠板５３を備えている。連結板５１にはスリット５１ａが設けられており、当該スリット５１ａには操作ワイヤ４４の基端の玉４４ａ（図２）が引っ掛けられて接続されている。本実施形態では、ロックピンユニット４３を左右に設けており、操作ワイヤ４４を２本有しているので、連結板５１には２本のスリット５１ａ，５１ａが設けられており、２本の操作ワイヤ４４，４４が連結されている。したがって、２本の操作ワイヤ４４，４４を同時に同量だけ操作できる。
【００３６】
操作レバー５０が操作されていない状態では、操作レバー５０はレバーばね５２によって天板６の奥側に引き込まれている。この状態から操作レバー５０を引っ張り操作すると、連結板５１がレバーばね５２を押し縮めながら移動し、操作ワイヤ４４を引き出す。そして、操作レバー５０の引っ張り操作を止めると、押し縮められていたレバーばね５２のばね力によって連結板５１及び操作レバー５０が元の位置に戻される。即ち、操作レバー５０を操作している場合にだけ操作ワイヤ４４が引き出される。
【００３７】
操作ワイヤ４４は、両端を除きチューブ４４ｂ内に収容されている。操作ワイヤ４４は第２の脚体３７の支柱パイプ３７ｃと下側水平パイプ３７ｂ内を通り、下側水平パイプ３７ｂの両端に設けられているロックピンユニット４３に接続されている（図７）。本実施形態ではロックピンユニット４３を下側水平パイプ３７ｂの左右両端に設けているので、操作ワイヤ４４も２本設けられている。
【００３８】
ロックピンユニット４３は第２の脚体３７を枠体５に係止するものであり、第２の脚体３７の下端に設けられている。本実施形態では、ロックピンユニット４３を下側水平パイプ３７ｂの左右両端に設けている。ただし、必ずしも下側水平パイプ３７ｂの左右両端に設ける必要はなく、いずれか一方にのみ設けるようにしても良い。
【００３９】
ロックピンユニット４３は、例えば図７に示すように、下側水平パイプ３７ｂの先端を塞ぐように設けられた取付板５４と、取付板５４から下側水平パイプ３７ｂの軸方向に突出するロックピンガイド５５と、ロックピンガイド５５に案内されて当該ロックピンガイド５５から先端を突出可能なロックピン５６と、取付板５４とロックピン５６との間に設けられ、ロックピン５６を突出させる方向に常時付勢するロックピンばね５７と、ロックピン５６の後端に取り付けられた連結板５８を備えている。連結板５８にはスリット５８ａが設けられており、このスリット５８ａには操作ワイヤ４４の先端の玉４４ｃが引っ掛けられて接続されている。ロックピンガイド５５にはローラ４０が回転自在に取り付けられている。
【００４０】
高さ調節孔４５は第２の脚体３７の下端の係止位置を決定するもので、下側ガイドレール３２に設けられている。高さ調節孔４５は、テーブル使用時の天板６の高さに合わせて設けられている。即ち、第２の脚体３７の下端のスライド位置によって第１の脚体３６と第２の脚体３７との交差角度θが決まり、脚部７全体の伸縮量即ち天板６の高さが決まるので、高さ調節孔４５は天板６を合わせたい高さに対応する位置に形成されている。本実施形態では、使用時の天板６の高さを２段階調節するために２箇所に高さ調節孔４５を設けている。ただし、高さ調節孔４５の数即ち高さ調節の段数は２段に限るものではなく、１段でも良く、あるいは３段以上としても良い。
【００４１】
ロックピンユニット４３のロックピン５６はロックピンばね５７によって常時突出方向に付勢されており、操作レバー５０が引っ張り操作されていない状態でロックピン５６が下側ガイドレール３２に設けられている高さ調節孔４５に対向すると、ロックピン５６が高さ調節孔４５内に突出する（図７）。これにより、第２の脚体３７の下端が枠体５に係止され、下側ガイドレール３２に沿って移動できなくなる。
【００４２】
一方、操作レバー５０が操作されてロックピンユニット４３の連結板５８が操作ワイヤ４４によって引っ張られると、ロックピン５６が高さ調節孔４５から引き抜かれてロックピンガイド５５内に引き込まれる（図８）。これにより、第２の脚体３７の下端の係止が解除され、第２の脚体３７の下端が下側ガイドレール３２に沿って移動可能になる。なお、ロックピン５６の位置と高さ調節孔４５の位置があっていない場合には、第２の脚体３７の下端はロックピン５６を下側ガイドレール３２に摺動させながら移動する。
【００４３】
なお、本実施形態では天板６を収納している場合にも第２の脚体３７の下端を係止にするために、天板６を各支持板５９上に降ろしたときの天板６の高さに対応する位置にも高さ調節孔４５を設けている。天板６を各支持板５９上に降ろしたときにも第２の脚体３７を係止できるようにすることで、天板６収納時のがたつき発生を防止することができる。ただし、天板６収納時のがたつきが問題にならない場合等にはこの位置の高さ調節孔４５を省略しても良い。
【００４４】
本実施形態では、脚部７を伸長させる方向に付勢する付勢手段６０を備えている。ただし、天板６の持ち上げにさほど大きな力を要しない場合等には付勢手段６０を省略しても良い。また、本実施形態では付勢手段６０を第１の脚体３６に設けているが、第２の脚体３７に設けても良く、あるいは第１の脚体３６と第２の脚体３７の両方に設けても良い。さらに、本実施形態では付勢手段６０を第１の脚体３６の下端に設けているが、上端に設けても良く、あるいは上端と下端の両方に設けても良い（第２の脚体３７に設ける場合も同様）。また、本実施形態では、付勢手段６０を左右それぞれに設けているが、左と右のいずれか一方のみに付勢手段６０を設けるようにしても良い。
【００４５】
付勢手段６０を図５に示す。付勢手段６０は例えばコイルスプリングである。ただし、コイルスプリングに限るものではなく、脚部７を伸長させる方向にばね力を発揮するものであれば他のスプリングも使用可能である。付勢手段６０は第１の脚体３６の下側水平内パイプ３６ｄの外側に同軸状に配置され、下側ガイドレール３２に固着されたカバー７３で覆われている。付勢手段６０の内側端は下側水平外パイプ３６ｂに固着された第１のスプリング係止板６１に係止され、外側端は枠体５の脚取付フレーム３１に固着された第２のスプリング係止板６２に係止されている。付勢手段６０には、第１の脚体３６が起きている状態（図１に二点鎖線で示すように脚部７が伸長した状態）でも当該第１の脚体３６を起こす方向に予荷重が掛けられている。そして、第１の脚体３６が倒されると、付勢手段６０が更に捻られてばね力が貯えられる。付勢手段６０に貯えられるばね力は、そのばね力のみで脚部７を伸ばして天板６を持ち上げてしまう程の大きさにはならない。即ち、付勢手段６０のばね力（付勢力）のみで収納時の天板６が持ち上げられることはなく、使用者が天板６を持ち上げる場合の補助力として作用する。
【００４６】
天板６がテーブル収納空間４に収納され、揺動式蓋１２，１３及び嵌め込み蓋１５が閉じられている状態では、ウッドデッキ９を通常のものと同様に広く使うことができる。揺動式蓋１２，１３と嵌め込み蓋１５との間、揺動式蓋１２，１３の各デッキ材１７間、嵌め込み蓋１５の各デッキ材２４間はシール材１９でシールされているため、収納している天板６に雨や日光が直接かかることはない。
【００４７】
テーブルを使用する場合には、まず最初に嵌め込み蓋１５を外して窓１４を開ける。嵌め込み蓋１５の回転取手２５を回転させて突出させ、これを掴んで持ち上げることで嵌め込み蓋１５を外すことができる。外した嵌め込み蓋１５は邪魔にならない場所等に置いておく。
【００４８】
次に、揺動式蓋１２，１３を開く。既に嵌め込み蓋１５が外され、窓１４が開いているので、この窓１４の縁を掴んで揺動式蓋１２，１３を１枚ずつ開ける。片方の揺動式蓋１２には板材２０が設けられているので、まず最初に板材２０が設けられていない方の揺動式蓋１３を開けた後、板材２０が設けられている方の揺動式蓋１２を開ける。これによりテーブルの天板６が露出する。
【００４９】
次に、枠体５と天板６の間に手を差し込み、操作レバー５０を引いて第２の脚体３７の係止を解除し、天板６を持ち上げる。付勢手段６０の補助力（付勢力）によって天板６を軽く持ち上げることができる。なお、天板６を少し持ち上げて高さ固定手段のロックピン５６が高さ調節孔４５の正面からずれた後は、レバー操作を止めても良い。天板６の上昇に伴い脚部７が伸びる。
【００５０】
天板６の高さが１段目の高さ又は２段目の高さに合うと、高さ固定手段のロックピン５６が高さ調節孔４５に入り込み、第２の脚体３７が枠体５に係止される。これにより脚部７が伸縮できなくなり、天板６の高さが固定される。
【００５１】
この状態でテーブルの使用が可能になるが、本実施形態ではデッキ部９ａの開口１０を塞ぐために左右の揺動式蓋１２，１３を閉じる。板材２０が設けられている方の揺動式蓋１２を先に閉じ、次に板材２０が設けられていない方の揺動式蓋１３を閉じる。脚部７の各支柱パイプ３６ｃ，３７ｃは窓１４内を通過するので、左右の揺動式蓋１２，１３と脚部７が干渉することはない。左右の揺動式蓋１２，１３を閉じることで、天板６の下の部分が塞がれ、使用者の足下をデッキ部９ａとして使用することができる。以上によってテーブルの使用が可能となる。
【００５２】
天板６の高さ調節は、操作レバー５０を操作して第２の脚体３７の枠体５への係止を解除することで行われる。即ち、左右の揺動式蓋１２，１３を閉じた状態でも、天板６の高さを１段目→２段目又は２段目→１段目へと調節することができる。
【００５３】
なお、天板６の収納は、上述の手順と逆の手順で行われる。左右の揺動式蓋１２，１３を一旦開けた後、天板６を一番下まで下げて支持板５９に載せると、高さ固定手段のロックピン５６が高さ調節孔４５内に突出し、脚部７が枠体５に係止される。その後、各蓋を揺動式蓋１２→揺動式蓋１３→嵌め込み蓋１５の順番で閉める。これにより、使わなくなったテーブルがテーブル収納空間４に収納され、その上をデッキ部９ａとして使用可能となる。
【００５４】
本発明では、テーブル（天板６，脚部７）を枠体５を含めてユニット化しているので、ウッドデッキ９を施工する場合の組み付けが容易である。また、既に施工してあるウッドデッキ９への後付も容易である。
【００５５】
また、テーブルをデッキ部９ａ下の空間に収納できるので、テーブルを持ち運ぶ必要がなくなり、設置・収納が簡単になり、大変便利である。
【００５６】
本実施形態では、蓋１１として揺動式蓋１２，１３と嵌め込み蓋１５の２種類を備えているので、テーブル使用時にも窓１４を残して開口１０を閉じることができ、使用者の足下をデッキ部９ａとして使用することができる。
【００５７】
なお、上述の形態は本発明の好適な形態の一例ではあるがこれに限定されるものではなく本発明の要旨を逸脱しない範囲において種々変形実施可能である。
【００５８】
例えば、上述の説明では、付勢手段６０としてコイルスプリングを使用していたが、必ずしもコイルスプリングに限るものではない。付勢手段６０として、例えば渦巻きばねを使用しても良い。付勢手段６０として渦巻きばねを使用する場合の例を図１５〜図１７に示す。この付勢手段（渦巻きばね）６０も上述の付勢手段（コイルスプリング）６０と同様に、第１の脚体３６の左右に設けられている。
【００５９】
なお、上記実施形態の第１の脚体３６は下側水平外パイプ３６ｂの中に下側水平内パイプ３６ｄを通していたが、本実施例の第１の脚体３６は下側水平内パイプ３６ｄを備えておらず、下側水平外パイプ３６ｂが後述する内側のばねケース６３に連結されている。
【００６０】
本実施例では、付勢手段６０を２段設けている。各段の付勢手段６０はそれぞれ別のばねケース６３，６４に収容されている。２つのばねケース６３，６４は、枠体５に固定された第１のブラケット６５を挟むように配置されている。第１のブラケット６５には連結シャフト６６が固定されており、連結シャフト６６の両端はそれぞればねケース６３，６４内に挿入されている。付勢手段（渦巻きばね）６０の中心側端はばねケース６３，６４内において連結シャフト６６に係止されている。また、各ばねケース６３，６４内には付勢手段６０の外側端を係止する係止シャフト６７が設けられている。また、各ばねケース６３，６４の回転中心から離れた位置には連結パイプ６８を挿入するためのパイプ孔６９が形成されている。
【００６１】
２つのばねケース６３，６４のうち内側に配置されるばねケース６３には第２のブラケット７０が取り付けられており、この第２のブラケット７０には連結シャフト６６と同軸になるように第１の脚体３６の下側水平外パイプ３６ｂが連結されている。また、第２のブラケット７０の回転中心から離れた位置には連結パイプ６８を挿入するためのパイプ孔７０ａが形成されている。連結パイプ６８は左右の付勢手段６０を連結するものであり、第２のブラケット７０のパイプ孔７０ａと各ばねケース６３，６４のパイプ孔６９，６９に挿入され固定されている。
【００６２】
したがって、第１の脚体３６が揺動すると、この揺動は回転運動として下側水平外パイプ３６ｂ→第２のブラケット７０→内側のばねケース６３→内側のばねケース６３内の係止シャフト６７→内側のばねケース６３内の渦巻きばね（付勢手段６０）の外側端へと伝達される。また、内側のばねケース６３の回転は、内側のばねケース６３→連結パイプ６８→外側のばねケース６４→外側のばねケース６４内の係止シャフト６７→外側のばねケース６４内の渦巻きばね（付勢手段６０）の内側端へと伝達される。即ち、第１の脚体３６の揺動によって２段の付勢手段６０が同時に同量だけ変形され、逆に、２段の付勢手段６０のばね力は第１の脚体３６に同時に伝達される。連結パイプ６８によって連結されている左右のばねケース６３，６４即ち４つのばねケースは同様に回転する。
【００６３】
２段の付勢手段６０には、第１の脚体３６が起きている状態（図１に二点鎖線で示すように脚部７が伸長した状態）でも当該第１の脚体３６を起こす方向に予荷重が掛けられている。第１の脚体３６が倒されると、付勢手段６０が更に捻られてばね力（付勢力）が貯えられる。付勢手段６０に貯えられるばね力は、そのばね力のみで脚部７を伸ばして天板６を持ち上げてしまう程の大きさにはならない。即ち、付勢手段６０のばね力のみで収納時の天板６が持ち上げられることはなく、使用者が天板６を持ち上げる場合の補助力として作用する。
【００６４】
このように、付勢手段６０として渦巻きばねを使用する場合にも、コイルスプリングを使用する場合と同様に天板６を軽い力で上げ下げできるようになる。また、渦巻きばねを使用する場合には、コイルスプリングを使用する場合に比べて小型化できるので、多段にするのが容易である。
【００６５】
なお、上記実施例では、付勢手段６０を２段設けていたが、必ずしも２段に限るものではなく、１段でも良く、あるいは３段以上でも良い。
【００６６】
また、上述の説明では、脚部７を第１の脚体３６と第２の脚体３７とによって構成し、第１の脚体３６と第２の脚体３７との交差角度θを変化させることで脚部７を伸縮させるようにしていたが、脚部７を伸縮させる手段としてはこれに限るものではなく、その他の手段によって脚部７を伸縮させるようにしても良い。
【００６７】
また、上述の説明では、高さ固定手段のロックピンユニット４３によって第２の脚体３７を枠体５に係止していたが、第１の脚体３６を枠体５に係止するようにしても良く、あるいは第１の脚体３６と第２の脚体３７の両方を枠体５に係止するようにしても良い。また、上述の説明では、第２の脚体３７を枠体５に係止していたが、係止相手は枠体５に限るものではなく、例えば天板６に係止するようにしても良い。
【００６８】
また、上述の説明では、開口１０を塞ぐ蓋１１として２種類のもの（揺動式蓋１２，１３と嵌め込み蓋１５）を設けて開口１０の大きさを２段階に変化させることを可能にし、テーブル使用時に使用者の足下を塞ぐようにしていたが、必ずしも２種類のものを設ける必要はなく、例えば１種類の蓋、例えば左右の揺動式蓋，１枚の揺動式蓋，１枚の嵌め込み蓋等によって開口１０を塞ぐようにしても良い。
【００６９】
また、上述の説明では天板６の平面視の形状を矩形にしていたが、天板６の形状はこれに限るものではなく、例えば円形，楕円形等でも良く、その他の形状でも良い。なお、天板６の形状に合わせて開口１０、蓋１１の形状を決定することが好ましい。
【００７０】
また、揺動式蓋１２，１３を開ける力を補助する付勢手段を設けても良い。例えば、揺動式蓋１２，１３とデッキ部９ａとの連結部分に図示しないトーションスプリングを設け、揺動式蓋１２，１３を閉じた場合にトーションスプリングを捻るようにし、この捻り力を利用して揺動式蓋１２，１３を開ける場合の補助力を発揮させるようにしても良い。
【００７１】
また、枠体５及び天板６に対して枠体５を大きめに形成し、テーブル収納空間４の空いている場所に折り畳み椅子等を収納するようにしても良い。この場合には、椅子の移動も不要になり、より一層便利である。
【符号の説明】
【００７２】
１  収納テーブルユニット
２，１７，２４  デッキ材
３  デッキ材下の空間
４  テーブル収納空間
５  枠体
６  天板
７  伸縮可能な脚部
８  高さ固定手段
９ａ  デッキ部
１０  デッキ部の開口
１１  蓋
１９シール材
４２  操作レバーユニット（高さ固定手段）
４３  ロックピンユニット（高さ固定手段）
４４  操作ワイヤ（高さ固定手段）
６０  付勢手段
【図１】
2011226075.tif 000003
【図２】
2011226075.tif 000004
【図３】
2011226075.tif 000005
【図４】
2011226075.tif 000006
【図５】
2011226075.tif 000007
【図６】
2011226075.tif 000008
【図７】
2011226075.tif 000009
【図８】
2011226075.tif 000010
【図９】
2011226075.tif 000011
【図１１】
2011226075.tif 000012
【図１２】
2011226075.tif 000013
【図１３】
2011226075.tif 000014
【図１４】
2011226075.tif 000015
【図１５】
2011226075.tif 000016
【図１６】
2011226075.tif 000017
【図１７】
2011226075.tif 000018
【図１０】
2011226075.tif 000019